【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
３ｍｍより細い直径を有する外側チューブ、およびシースチャンネル内の光フアイバーの同心配列を備え、該光フアイバーが少なくとも８０％の該チャンネル内実装係数を有するチューブ状シースと、
該シースの遠位の端部にシールされた光学的に透明な要素と、そして
該シースの近位の端部のコネクター組立体と、を具備することを特徴とする哺乳類の身体内領域を照明する使い捨て光フアイバーシース。
【請求項２】
該コネクター組立体が、光フアイバーの近位の端部に接続された光学的カプラーと套管コネクターとを更に備えることを特徴とする請求項１記載の光フアイバーシース。
【請求項３】
２ｍｍより細い直径を有する内側チューブと外側チューブとを更に具備する請求項１記載の光フアイバーシース。
【請求項４】
該透明要素が、１ｍｍより薄い厚さを有する窓を備えることを特徴とする請求項１記載の光フアイバーシース。
【請求項５】
該コネクター組立体がスナップファスナーを更に備えることを特徴とする請求項８記載の光フアイバーシース。
【請求項６】
シースハウジング要素に取り付けられた柔軟な膜に取り付けられる殺菌済みバリヤを更に具備することを特徴とする請求項１記載の光フアイバーシース。
【請求項７】
チューブ状シースが、外側金属チューブと内側金属チューブとを更に備えており、該光フアイバーは、同心照明面積を規定するために該外側チューブと該内側チューブの間に延びており、そして該収集面積に対する該照明面積の比が０．５から１．０の範囲内にあるように該光学的に透明な要素が光収集面積を規定していることを特徴とする請求項１記載の光フアイバーシース。
【請求項８】
該チューブ状シースが、該近位の端部に円形開口部を有する円柱状空洞を備える堅いチューブを具備し、そして５ｃｍと１０ｃｍの間の長さを具備することを特徴とする請求項１記載の光フアイバーシース。
【請求項９】
該光フアイバーが、少なくとも５００の光フアイバーの配列を有し、外側チューブと内側チューブの間に位置付けられていることを特徴とする請求項１記載の光フアイバーシース。
【請求項１０】
該光フアイバーが、少なくとも９０％の実装係数を有することを特徴とする請求項９記載の光フアイバーシース。
【請求項１１】
該内側チューブが、０．６から１．８ｍｍの範囲の直径を有することを特徴とする請求項３記載の光フアイバーシース。
【請求項１２】
該光フアイバー配列が、５００と２０００の間の光フアイバーを有することを特徴とする請求項９記載の光フアイバーシース。
【請求項１３】
該光フアイバーが、遠位の端部に於いて接着剤で接着されており、そして研磨された遠位の面を有することを特徴とする請求項１記載の光フアイバーシース。
【請求項１４】
該シースの長さが、５０ｍｍと２５００ｍｍの間にあることを特徴とする請求項１記載の光フアイバーシース。
【請求項１５】
身体の内腔又は空洞内の関心のある領域へ薬剤又は画像形成色素を送る流体送達チャンネルを更に具備することを特徴とする請求項１記載の光フアイバーシース。
【請求項１６】
光学的カプラーが該ハブ組立体から近位の方へ延び、発光ダイオード（ＬＥＤ）カプラーを有することを特徴とする請求項１記載の光フアイバーシース。
【請求項１７】
該ハンドルコネクターが流体シールを有することを特徴とする請求項１６記載の光フアイバーシース。
【請求項１８】
該光学的カプラー上に第１シール及び第２シールを更に具備することを特徴とする請求項１７記載の光フアイバーシース。
【請求項１９】
該シールがＯリング溝を有することを特徴とする請求項１７記載の光フアイバーシース。
【請求項２０】
該チューブ状シースが、画像収集チューブを受けるために該近位の端部に円形開口部を有する堅いチューブを備えることを特徴とする請求項１記載の光フアイバーシース。
【請求項２１】
該内側チューブが少なくとも１．０ｍｍの直径を有し、該外側チューブが２ｍｍ以下の直径を有することを特徴とする請求項１記載の光フアイバーシース。
【請求項２２】
各光フアイバーが３０μｍから５０μｍの範囲の直径を有することを特徴とする請求項１記載の光フアイバーシース。
【請求項２３】
３ｍｍより細い外径を有する使い捨てチューブ状シースを提供する過程であって、該シースが光フアイバー照明デバイスを収容している該シースを提供する過程と、そして
該シースと套管を、識別要素を有する容器から移す過程と、を具備することを特徴とする使い捨てシース組立体を使用する方法。
【請求項２４】
該シース組立体を識別して記録するためにコンピュータを使う過程を更に具備することを特徴とする請求項２３記載の方法。
【請求項２５】
グラフィカルユーザーインターフエースを有するラップトップコンピュータを提供する課程を具備しており、該コンピュータが、該使い捨てシースに取り付けられた内視鏡組立体を操作するようにプログラムされていることを特徴とする請求項２３記載の方法。
【請求項２６】
識別要素を検出するセンサーを更に具備することを特徴とする請求項２３記載の方法。
【請求項２７】
該コンピュータに記憶されたソフトウエアプログラムを提供する過程を更に具備しており、該プログラムが、該識別要素での該シースの識別に応答して内視鏡操作部を賦活するインストラクションのシーケンスを有することを特徴とする請求項２３記載の方法。
【請求項２８】
外側チューブと内側チューブの間に環状光フアイバー配列を有するシースを提供する過程を具備しており、該光フアイバー配列は少なくとも８０％の実装係数を有することを特徴とする請求項２３記載の方法。
【請求項２９】
３ｍｍより細い外径を有する外側チューブと、該外側チューブの中に位置付けられた内側チューブと、を提供する過程と、
該外側チューブと該内側チューブの間のチューブ状空洞内に複数の光フアイバーを挿入する過程と、
該光フアイバーの接着剤により保持される部分がチューブ状シースの遠位の端部にあるように該光フアイバーの部分に接着剤を付ける過程と、
該シースから遠位の方に延びるフアイバーの部分を除去する過程と、
遠位の照明用の光学的面を形成するために該光フアイバーの該遠位の端部を研磨する過程と、そして
該シースの該遠位の端部を光学的に透過性の要素でシールする過程と、を具備することを特徴とする使い捨てシース組立体を作る方法。
【請求項３０】
光学的カプラーを該光フアイバーの近位の端部に取り付ける過程を更に具備することを特徴とする請求項２９の方法。
【請求項３１】
シースハウジング要素とカップリング要素とを有するコネクター組立体を成形する過程を更に具備することを特徴とする請求項２９記載の方法。
【請求項３２】
コネクター組立体を該シースの近位の端部に取り付ける過程を具備しており、該コネクター組立体がシールを有することを特徴とする請求項２９記載の方法。
【請求項３３】
該光フアイバーが、該チューブ状空洞内で少なくとも８０％の実装係数を有することを特徴とする請求項２９記載の方法。
【請求項３４】
該光フアイバーが、該チューブ状空洞内で少なくとも９０％の実装係数を有することを特徴とする請求項２９記載の方法。
【請求項３５】
該遠位の照明用の光学的面が光照明面積を有し、該光学的に透過性の要素が光収集面積を有しており、該光収集面積に対する該照明面積の比が０．５から２．４の範囲内にあることを特徴とする請求項２９記載の方法。